(57)【要約】【課題】チャージポンプ回路のクロックを制御することにより、パーシャル表示モードにおいて、負荷電流の多く必要な表示領域では電源の能力を上げ、負荷電流の不必要な非表示領域では電源の能力を下げることができ、電力を効率的に供給することが可能な電気光学装置及び電子機器を提供すること。【解決手段】走査線を順次選択する走査線駆動回路と、前記走査線が選択された際にデータ線に表示データを供給するデータ線駆動回路と、前記走査線に選択電圧が印加されたときに前記データ線と画素とを導通状態とするスイッチング素子と、クロックによって電源能力が制御されるチャージポンプ回路を含み、電源電圧に基づいて前記走査線及び前記データ線にそれぞれ複数の電圧レベルを生成する電源回路と、を具備し、部分表示モードにおいて、非表示領域に対しては、前記電源回路に供給するクロックの周波数を低くする。【選択図】  図１
2007057554.tif 000002
【特許請求の範囲】
【請求項１】
複数の走査線と、複数のデータ線と、前記走査線と前記データ線との交差に対応して設けられた複数の画素と、を備え、全画面を表示する全画面表示モードと、前記全画面における一部の領域を表示領域とし、他の領域を非表示領域とする部分表示モードとが選択可能な電気光学装置において、
前記走査線を順次選択する走査線駆動回路と、
前記走査線が選択された際に前記データ線に表示データを供給するデータ線駆動回路と、
前記走査線に選択電圧が印加されたときに前記データ線と前記画素とを導通状態とするスイッチング素子と、
クロックによって電源能力が制御されるチャージポンプ回路を含み、電源電圧に基づいて前記走査線及び前記データ線にそれぞれ複数の電圧レベルを生成する電源回路と、
を具備し、
前記部分表示モードにおいて、前記非表示領域に対しては、前記電源回路に供給するクロックの周波数を低くすることを特徴とする電気光学装置。
【請求項２】
前記部分表示モードにおいて、前記非表示領域に対する前記データ線への表示データの書き込みは、前記電源回路とは異なる電源で生成した電圧をデータ信号として用いて行うことを特徴とする請求項１に記載の電気光学装置。
【請求項３】
前記部分表示モードにおいて、前記表示領域が２値表示されるときの前記データ線への表示データの書き込みは、前記電源回路とは異なる電源で生成した２値電圧をデータ信号として用いて行うことを特徴とする請求項１又は２に記載の電気光学装置。
【請求項４】
前記部分表示モードにおいて、前記表示領域が２値表示されるときの前記クロックの周波数は、前記表示領域の階調表示のときの前記クロックの周波数より低く、前記非表示領域に対する前記クロックの周波数より高く設定されることを特徴とする請求項１乃至３のいずれか１つに記載の電気光学装置。
【請求項５】
前記部分表示モードにおいて、前記非表示領域から前記表示領域への前記クロックの高い方の周波数への周波数切り替えは、前記データ線への表示データの書き込みによる表示切り替えに先立って行われることを特徴とする請求項１乃至４のいずれか１つに記載の電気光学装置。
【請求項６】
全画面を表示する全画面表示モードと、前記全画面における一部の領域を表示領域とし、他の領域を非表示領域とする部分表示モードとが選択可能な電気光学装置において、
クロックによって電源能力が制御されるチャージポンプ回路を含み、電源電圧に基づいて複数の電圧レベルを生成する電源回路を具備し、
前記部分表示モードにおいて、前記非表示領域に対しては、前記電源回路に供給するクロックの周波数を低くすることを特徴とする電気光学装置。
【請求項７】
請求項１乃至６のいずれか１つに記載の電気光学装置を備えたことを特徴とする電子機器。
【発明の詳細な説明】
【技術分野】
【０００１】
本発明は、チャージポンプ回路による電源回路を備える一方、一部の領域だけを表示状態とし他の領域を非表示状態にするパーシャル表示機能を有した電気光学装置及び電子機器に関する。
【背景技術】
【０００２】
通常、電気光学装置、例えば液晶装置は、複数の走査線（以下、ゲート線という）と複数のデータ線（以下、ソース線という）の交差部に複数の画素からなる表示部を形成し、これを利用してビデオ信号を表示する。液晶装置は、各画素のデータ信号に基づいて光透過量が制御される複数の液晶セルと、ソース線から液晶セルに供給されるデータ信号を切り換えるための薄膜トランジスタ（ＴＦＴという：Thin Film Transistorの略）と、ゲート線及びソース線をそれぞれ駆動する走査線駆動回路（以下、ゲートドライバという）及びデータ線駆動回路（以下、ソースドライバという）を有した駆動回路部分と、を含んでいる。
【０００３】
一方、液晶装置においては、表示パネルの全画素を用いて画面全体に画像を表示する全画面表示モードと、表示パネルの全ての走査線のうち所望の走査線のみを選択し、選択した走査線に対応する画素を用いて画面の一部のみに画像を表示するパーシャル（部分）表示モードとを備えたものがある。この場合、全画面表示モードでは、全画面に亘って走査を行っていて、画面全体にデータ線から表示データを書き込むことは勿論であるが、パーシャル表示モードにおける表示領域と非表示領域では、全画面に亘って走査を行っているが、表示領域にはデータ線から表示データを書き込み、非表示領域にはデータ線から表示データを書き込まない駆動方法を採っている。
【０００４】
一方、液晶装置等の電気光学装置や半導体装置の電源回路として、ロス電流が少なく、電力への変換効率が良好等の理由からチャージポンプ回路が用いられている。
【０００５】
例えば、半導体記憶装置の電源回路としてチャージポンプ回路を用いたものでは、負荷状態に応じてクロックを変えることで、チャージポンプ回路の能力（負荷に対して供給できる電流の量）を制御するように構成したものがある（例えば、特許文献１参照）。
【０００６】
同様に、有機ＥＬ等の電気光学物質を画素として用いた表示装置の電源回路として、チャージポンプ回路を使用し、画素のオンまたはオフを規定するデータから、オン状態となる画素の総和を算出するとともに、算出した画素の総和が大きくなるのに応じて、チャージポンプ回路の能力を上げることによって、表示パネルに供給する電源電圧の低下を抑えて電圧の安定化を図り、輝度の変化を防止するように構成したものもある（例えば、特許文献２参照）。
【特許文献１】特開平１０−２６９７８７号公報
【特許文献２】特開２００３−２４１７０５号公報
【発明の開示】
【発明が解決しようとする課題】
【０００７】
しかしながら、一部の領域だけを表示状態とし他の領域を非表示状態にするパーシャル表示機能を有した電気光学装置に電源回路としてチャージポンプ回路を用いた場合に、パーシャル表示モードのときに、表示領域と非表領域とでチャージポンプ回路の能力を変えることによって、パーシャル表示モードにおける表示領域と非表示領域の違いや、その表示領域における通常の階調表示と白黒表示の違いに応じて電流の供給能力を適切に切り替えて供給できるようにしたものは無かった。
【０００８】
そこで、本発明は上記の問題に鑑み、チャージポンプ回路のクロックを制御することにより、パーシャル表示モードにおいて、負荷電流の多く必要な表示領域では電源の能力を上げ、負荷電流の不必要な非表示領域では電源の能力を下げることができ、電力を効率的に供給することが可能な電気光学装置及び電子機器を提供することを目的とするものである。
【課題を解決するための手段】
【０００９】
本発明による電気光学装置は、複数の走査線と、複数のデータ線と、前記走査線と前記データ線との交差に対応して設けられた複数の画素と、を備え、全画面を表示する全画面表示モードと、前記全画面における一部の領域を表示領域とし、他の領域を非表示領域とするパーシャル表示モードとが選択可能な電気光学装置において、前記走査線を順次選択する走査線駆動回路と、前記走査線が選択された際に前記データ線に表示データを供給するデータ線駆動回路と、前記走査線に選択電圧が印加されたときに前記データ線と前記画素とを導通状態とするスイッチング素子と、クロックによって電源能力が制御されるチャージポンプ回路を含み、電源電圧に基づいて前記走査線及び前記データ線にそれぞれ複数の電圧レベルを生成する電源回路と、を具備し、前記パーシャル表示モードにおいて、前記非表示領域に対しては、前記電源回路に供給するクロックの周波数を低くすることを特徴とする。
【００１０】
本発明のこのような構成によれば、パーシャル表示モードに移行した際に、非表示領域に対してチャージポンプ回路のクロックを低く制御することにより、非表示領域のような負荷の小さな状態では電源の能力を下げ、表示領域のような通常の負荷状態では電源の能力を上げることができ、電力を効率的に供給し、消費電力を低減することができる。
【００１１】
本発明において、前記パーシャル表示モードにおいて、前記非表示領域に対する前記データ線への表示データの書き込みは、前記電源回路とは異なる電源で生成した電圧をデータ信号として用いて行うことを特徴とする。
【００１２】
このような構成によれば、前記非表示領域に対する前記データ線への表示データの書き込み電圧は、データ線駆動回路で生成した電圧データを使用するとデータ線駆動回路のような階調電圧生成に要する駆動電力を消費してしまうので、データ線駆動回路系電源とは別の電源で生成した低電圧を用いて行うことにより、データ線駆動回路系での消費電力を低減し、全体としての電力消費を低減することができる。
【００１３】
本発明において、前記パーシャル表示モードにおいて、前記表示領域が２値表示されるときの前記データ線への表示データの書き込みは、前記電源回路とは異なる電源で生成した２値電圧をデータ信号として用いて行うことを特徴とする。
【００１４】
このような構成によれば、前記表示領域の白黒表示のような２値表示のときの前記データ線への表示データの書き込み電圧は、データ線駆動回路系電源とは別の電源で生成した２値電圧を用いて行うことにより、データ線駆動回路のような階調電圧生成に要する駆動電圧を利用しないので、データ線駆動回路系での消費電力を低減し、全体としての電力消費を低減することができる。
【００１５】
本発明において、前記パーシャル表示モードにおいて、前記表示領域が２値表示されるときの前記クロックの周波数は、前記表示領域の階調表示のときの前記クロックの周波数より低く、前記非表示領域に対する前記クロックの周波数より高く設定されることを特徴とする。
【００１６】
このような構成によれば、白黒表示のような２値表示のときのように表示負荷が小さい場合は、チャージポンプ回路のクロックの周波数を、階調表示のときのクロックの周波数より低く、非表示領域に対するクロックの周波数より高くすることにより、電力を効率的に供給し、消費電力を低減することができる。
【００１７】
本発明において、前記パーシャル表示モードにおいて、前記非表示領域から前記表示領域への前記クロックの高い方の周波数への周波数切り替えは、前記データ線への表示データの書き込みによる表示切り替えに先立って行われることを特徴とする。
【００１８】
このような構成によれば、パーシャル表示モードにおいて、非表示領域から表示領域へ移行するときは、チャージポンプ回路のクロック周波数増加に伴うポンピング用コンデンサへの単位時間当たりの充電電荷量の増大を早めに開始して、電源能力を高めておいた状態で、データ線への表示データの書き込みを行うことで、実際に表示データの表示を行った際の電源電圧変動（低下）を抑え、安定した高い品質の表示動作を行うことが可能となる。
【００１９】
本発明による電気光学装置は、全画面を表示する全画面表示モードと、前記全画面における一部の領域を表示領域とし、他の領域を非表示領域とするパーシャル表示モードとが選択可能な電気光学装置において、クロックによって電源能力が制御されるチャージポンプ回路を含み、電源電圧に基づいて複数の電圧レベルを生成する電源回路を具備し、前記パーシャル表示モードにおいて、前記非表示領域に対しては、前記電源回路に供給するクロックの周波数を低くすることを特徴とする。
【００２０】
本発明のこのような構成によれば、パーシャル表示モードに移行した際に、非表示領域に対してチャージポンプ回路のクロックを低く制御することにより、非表示領域のような負荷の小さな状態では電源の能力を下げ、表示領域のような通常の負荷状態では電源の能力を上げることができ、電力を効率的に供給し、消費電力を低減することができる。
【００２１】
本発明による電子機器は、上記の電気光学装置を備えたことを特徴とする。  
このような構成によれば、パーシャル表示モードに移行した際に、チャージポンプ回路のクロックを制御することにより、非表示領域のような負荷電流の不必要なところで電源の能力を下げ、表示領域のような負荷電流の多く必要なところで電源の能力を上げることができ、電力を効率的に供給可能な電気光学装置を備えた電子機器を実現できる。
【発明を実施するための最良の形態】
【００２２】
発明の実施の形態について図面を参照して説明する。  
［第１の実施形態］
図１は本発明の第１の実施形態の電気光学装置の概略構成を示す図である。電気光学装置としては例えば液晶装置がある。  
図１において、電気光学装置は、複数のデータ線（以下、ソース線）１と、このソース線１に略直交して配置される複数の走査線（以下、ゲート線）２と、この複数のソース線１および複数のゲート線２の複数の交差に対応して設けられた複数のスイッチング素子３と、この複数のスイッチング素子３に対応して設けられた複数の画素電極４と、この複数の画素電極４に対向配置される対向電極５と、画素電極４と対向電極５間に介在する液晶などの電気光学物質６と、前記複数のゲート線２を順次駆動する走査線駆動回路（以下、ゲートドライバ）７と、コントローラ１２からのデータ信号を、表示用の画素信号に変換して出力するデータ線駆動回路（以下、ソースドライバ）８と、クロックによって電源能力が制御されるチャージポンプ回路１１を含み、バッテリからの電源電圧ＶDDに基づきゲートドライバ７及びソースドライバ８にそれぞれ駆動に必要な複数の電圧レベルを供給する電源回路１０と、全画面表示モードとパーシャル表示モードとを切り替える制御を行う表示モード制御部１３を含み、ゲートドライバ７，ソースドライバ８及び電源回路１０に必要なタイミング信号や表示用データ信号および制御信号を生成するコントローラ１２と、を備えている。なお、表示モードの切り替えについては、図示しない操作ボタンからの指示、或いは特定の内容の表示（例えばカレンダー表示とこれに関連した時刻表示）を切り替える指示に基づいて行われたり、或いは表示データの非表示領域の有無判定に基づいて自動的に行われる
表示モード制御部１３は、ゲートドライバ７，ソースドライバ８及び電源回路１０を制御して、全画面表示モードと、一部分だけを表示領域とし他の部分を非表示領域にするパーシャル表示モードと、を切り替える制御を行う機能を有する。
【００２３】
また、表示部１４は、複数のソース線１，複数のゲート線２，複数のスイッチング素子３，複数の画素電極４，対向電極５及び電気光学物質６を含む表示部である。なお、図１では、ゲートドライバ７，ソースドライバ８，電源回路１０及びコントローラ１２は別体の回路に構成されているが、ゲートドライバ７，ソースドライバ８，電源回路１０及びコントローラ１２を１つのチップに一纏めに構成してもよく、そのワンチップを表示部１４に対して電気的に接続する構成としてもよい。
【００２４】
表示部１４の複数のソース線１には、ソースドライバ８から表示用の画素信号Ｓ1〜Ｓmが複数（ｍ本）のソース線１のそれぞれに対して供給される。  
複数のスイッチング素子３は画素ごとに設けられており、スイッチング素子３としてはＴＦＴ（電界効果型の薄膜トランジスタ）が用いられている。スイッチング素子３であるＴＦＴは、ソースがソース線１の１つに接続し、ゲートがゲート線２の１つに接続し、ドレインが画素電極４に接続している。ＴＦＴはそのゲートにゲート線２からハイレベル信号が印加されると、ソース・ドレイン間が導通してソースドライバ８に接続したソース線１からの画素信号が画素電極４に印加されるようになっている。画素電極４は電気光学物質６を介在して対向電極５に対向して配置され、画素電極４と対向電極５の電位差に応じて電気光学物質６の光透過率等の光学特性が変化することによって画素信号電圧に応じた濃淡（階調）で表示が可能となる。
【００２５】
一方、表示部１４の複数のゲート線２には、ゲートドライバ７から走査線駆動信号ｇ1〜ｇｎが複数（ｎ本）のゲート線２のそれぞれに対して時間的に順次に各々のゲート線２に対して供給され、走査線駆動信号が供給されたゲート線に行方向にゲート接続している複数のスイッチング素子３がオンすることによって、そのゲート線のみがアクティブな状態とされる。そのオン状態の複数のスイッチング素子３のソースに、ソースドライバ８から複数のソース線１を介して表示用の画素信号が同時的に入力されると、複数のスイッチング素子３のソースからドレイン（即ち画素電極４）へ表示用の画素信号が書き込まれることになる。
【００２６】
図２は、上記電源回路１０の構成を示している。すなわち、電源系の系統図を示している。  
前述したように、電源回路１０は、クロックの周波数によって電源能力（負荷に供給できる電流の量）が制御されるチャージポンプ回路１１（図２では１１−１及び１１−２）を含み、バッテリ１５からの電源電圧ＶDDに基づきゲートドライバ７及びソースドライバ８にそれぞれ駆動に必要な複数の電圧レベルを供給する機能を有する。
【００２７】
図２において、電源回路１０は、バッテリ１５と、チャージポンプ式２倍昇圧回路１１−１と、チャージポンプ式３倍昇圧回路１１−２と、発振回路１６と、ソースドライバ系の第１の電源１７と、ソースドライバ系の第２の電源１８と、ゲートドライバ系の第１の電源１９と、を備えている。
【００２８】
バッテリ１５は電源電圧ＶDD（例えば２．６Ｖ）を出力する元の電源である。チャージポンプ式２倍昇圧回路１１−１はバッテリ電圧ＶDDを２倍昇圧した電圧ＶDD2（＝ＶDD×２）を生成して、ソースドライバ系電源として使用される。チャージポンプ式３倍昇圧回路１１−２はバッテリ電圧ＶDDを３倍昇圧した電圧ＶDD3（＝ＶDD×３）を生成して、ゲートドライバ系電源として使用される。発振回路１６はコントローラ１２からの制御信号によって発振周波数が可変可能なクロック発生用の発振器で構成される。
【００２９】
ソースドライバ系の第１の電源１７は、２倍昇圧電圧ＶDD2から０．数Ｖの余裕分だけ降下した電圧ＶDDHS（ＤＡＣのアナログ出力の最大電圧）を生成して、ソースドライバ８内のＤＡＣ（ディジタル／アナログ変換器）の出力段にバッファアンプ（ボルテージフォロア）として設けられたソース出力アンプ２０に電源電圧としてその電圧ＶDDHSを供給する。ソース出力アンプ２０のアナログ出力は、表示部１４のデータ線であるソース線１に表示用画素信号として供給される。
【００３０】
ソースドライバ系の第２の電源１８は、前記電圧ＶDDHSより若干降下した電圧ＶGM（γ階調の最大電圧）を生成して、ソース出力アンプ２０の前段に階調電圧生成手段として設けられた階調設定ラダー抵抗２３の一端に、バッファアンプ２１及びスイッチ２２を介して供給するものである。スイッチ２２は、通常の階調表示の駆動時にはオン状態とされる一方、例えば時刻表示などの２値表示や表示を行わない非表示の駆動時は、オフ状態とされて階調電圧発生用のラダー抵抗２３への電圧供給ラインが切り離され、ソース線１への表示データの書き込みは図示しない別電源で生成した低レベルの電圧或いは２値電圧を用いて行われる。２値駆動や非表示駆動の場合に階調電圧発生用のラダー抵抗２３を切り離すと、抵抗２３に流れる電力を低減できる。なお、この切り離しを行った際のソース線１へのデータ信号の供給は、別の電源からの２値表示用の電圧や非表示用の低電圧を用いて行うことで、階調電圧発生用のラダー抵抗２３に常時電流を流すことによる電力消費に比べて電力低減を図ることができる。
【００３１】
スイッチ２４は、スイッチ２２がオン状態のときに、階調表示用のデータ信号のディジタル値に応じて、ラダー抵抗２３を構成する複数の抵抗の適宜の分圧点に選択的に接続することで、ディジタル値に対応した階調電圧を出力して、前記ソース出力アンプ２０の入力端に供給する。
【００３２】
ゲートドライバ系の第１の電源１９は、３倍昇圧電圧ＶDD3から０．数Ｖの余裕分だけ降下した電圧ＶGATEを生成して、表示部１４の各ゲート線に接続した複数のスイッチング素子３のゲートにその電圧ＶGATEを供給する。
【００３３】
図３に、図２で説明した各種の駆動電圧レベルの大小関係を示している。ＶSSはグランド（GND）レベル、ＶDDは元電源電圧、ＶDD2は〔元電源電圧〕×２の昇圧電圧、ＶDD3は〔元電源電圧〕×３の昇圧電圧、ＶGATEはゲートドライバ７のゲート系電源電圧、ソースドライバ８のアナログ電源電圧、ＶGMはソースドライバ８のガンマ階調電源電圧を示している。例えば、ＶDD，ＶDD2，ＶDD3はそれぞれ２．６Ｖ，５．２Ｖ，７．８である。
【００３４】
ＶDD→ＶDD2の昇圧は２倍昇圧であり、ＶDD→ＶDD3の昇圧は３倍昇圧であり、これらの昇圧電圧はチャージポンプ回路によって生成される。
【００３５】
ここで電源能力の制御が問題となるのは、ソースドライバ系で使用する２倍昇圧電源の場合である。ソースドライバ系の２倍昇圧電源の能力（即ち、電流供給能力）が、実際の表示，非表示に関わるからである。つまり、ＶDD→ＶDD2とする２倍昇圧のチャージポンプ回路の能力を、表示，非表示又は白黒表示（２値表示）の各領域に応じて可変していくことになる。
【００３６】
図４はパーシャル表示モード時におけるチャージポンプ回路のクロックの周波数を可変する状態を示すタイミングチャートである。Ｖsyncは垂直同期信号、Ｈsyncは水平同期信号、ＤＡＴＡは画素電極へ供給される表示データの状態、ＣＫはチャージポンプ回路のクロックの周波数の多少を示している。  
全画面表示モードにおける表示状態とパーシャル表示モードにおける表示状態では、両者とも表示状態での駆動でありソースドライバ８の駆動条件は同じ階調表示での条件であるので、これらの表示状態では電源回路１０のチャージポンプ回路１１における２倍昇圧回路１１−１の駆動能力（即ち電流供給能力）は最も高い状態（＝水平周波数の数倍）とする必要がある（例えば図４のＤＡＴＡの表示状態に対応したＣＫを参照のこと）。つまり、階調表示を行う状態では、表示モード制御部１３がチャージポンプ式２倍昇圧回路１１−１に供給するクロックＣＫの周波数を予め定めた高い第１の周波数ｆ1に設定するように発振回路１６を制御する。
【００３７】
一方、パーシャル表示モードにおける非表示状態では、電源回路１０のチャージポンプ回路１１における２倍昇圧回路１１−１の駆動能力（即ち電流供給能力）は低い状態であってもよく、表示モード制御部１３がチャージポンプ式２倍昇圧回路１１−１に供給するクロックＣＫの周波数を予め定めた低い第２の周波数ｆ2（＝ほぼ水平周波数）に設定するように発振回路１６を制御する。ｆ2＜ｆ1の関係となる。
【００３８】
図５は、チャージポンプ回路の例として、チャージポンプ式２倍昇圧回路１１−１の構成を示している。図６は、図５のチャージポンプ式２倍昇圧回路におけるチャージ時とポンプ時の２組の双投型のスイッチＳＷ1，ＳＷ2の動作を示している。  
チャージポンプ式２倍昇圧回路１１−１は、バッテリ１５と、ポンピング用のコンデンサＣｐと、バックアップ用のコンデンサＣｂと、発振回路１６（図２参照）から供給される周波数が同一で互に極性が反転するクロックＣＫ1，ＣＫ2によってオンオフされる２組の双投型のスイッチＳＷ1，ＳＷ2と、を備えている。クロックＣＫ1，ＣＫ2は、クロックＣＫ1がハイレベルのとき、クロックＣＫ2がローレベルとなり、クロックＣＫ1がローレベルのとき、クロックＣＫ2がハイレベルとなる。双投型のスイッチＳＷ1，ＳＷ2はクロックＣＫ1，ＣＫ2がハイレベルのときオン（閉）し、クロックＣＫ1，ＣＫ2がローレベルのときオフ（開）する。
【００３９】
まず、クロックＣＫ1がハイレベルでスイッチＳＷ1がオン（スイッチＳＷ2はオフ）すると、そのオンしている間は、ポンピング用のコンデンサＣｐはバッテリ１５に並列接続となり、ポンピング用のコンデンサＣｐにはバッテリ１５からの電源電圧ＶDDが充電される。次にクロックＣＫ2がハイレベルとなりスイッチＳＷ2がオン（スイッチＳＷ1はオフ）すると、そのオンしている間は、ポンピング用のコンデンサＣｐとバッテリ１５とは直列接続し、この直列接続回路とバックアップ用のコンデンサＣｂが並列接続になり、バックアップ用のコンデンサＣｂにはバッテリ１５の電源電圧ＶDDに対してポンピング用コンデンサＣｐの充電電圧ＶDDが加算された電圧ＶDD2（＝ＶDD×２）が充電される。このスイッチング動作を繰り返すことによりバックアップ用コンデンサＣｂの両端に出力される電圧は、電源電圧ＶDDの２倍に保持された電圧となる。ここで、クロックＣＫ1，ＣＫ2の周波数が低くく制御されると、バッテリ１５よりポンピング用コンデンサＣｐに対して電源電圧ＶDDが充電される単位時間当たりの充電回数は少なくなるので、負荷に対して供給可能な電流量（能力）は少なくなる。クロックＣＫ1，ＣＫ2の周波数が高くなるように制御されると、バッテリ１５よりポンピング用コンデンサＣｐに対して電源電圧ＶDDが充電される単位時間当たりの充電回数が多くなるので、負荷に対して供給可能な電流量（能力）は多くなる。
【００４０】
図７は、パーシャル表示モードにおける表示部１４の画面の一例を示している。図７(a) は画面上の領域、表示領域の駆動方法及び駆動切り替えタイミングを示し、図７(b) の波形は、図７(a) の画面右に記述した画面上の表示形態の違い及び駆動形態の違い（非表示領域，パーシャル２値駆動，パーシャル多値駆動，非表示領域）に対応したチャージポンプ回路のクロック波形を示している。これらについては、以下に記述する。  
図７(a) の画面左に記述した駆動切り替え点１，２及び表示切り替え点１，２について説明する。駆動切り替え点１は、表示モード制御部１３（図１参照）の制御によってチャージポンプ回路のクロック周波数を非表示時の低い周波数から表示時の高い周波数に切り替える時点を意味し、駆動切り替え点２は、表示モード制御部１３（図１参照）の制御によってチャージポンプ回路のクロック周波数を表示時の高い周波数から非表示時の低い周波数に切り替える時点を意味している。また、表示切り替え点１とは、ソース線への表示データの書き込みを実際に開始することによって非表示状態から表示状態の切り替えが行われた時点を意味し、表示切り替え点２は、ソース線への表示データの書き込みを実際に終了することによって表示状態から非表示状態への切り替えが行われた時点（この表示終了時点は、駆動切り替え点２即ち非表示領域の駆動開始点（低いクロック周波数への切り替え点）に一致している）を意味している。
【００４１】
図５に示したチャージポンプ回路のスイッチＳＷ1，ＳＷ2のオンオフの周波数が高くなれば、スイッチのオンオフ回数が増えることによって消費電力が増えてしまうので、余り電流を要しない非表示や白黒（２値）表示の時には能力即ちチャージポンプ回路のスイッチＳＷ1，ＳＷ2のオンオフ周波数（クロックの周波数）を低くし、これによって消費電力を少なくできるようにする。
【００４２】
図７において、ハッチング部分が表示状態にある表示領域で、白色部分が非表示状態にある非表示領域である。本発明においては、前述したように、パーシャル表示モードに移行した際に、非表示領域に対してチャージポンプ回路のクロックを低く制御することにより、非表示領域のような負荷の小さな状態では電源の能力を下げ、表示領域のような通常表示（階調表示）の負荷状態では電源の能力を上げることができ、電力を効率的に供給し、消費電力を低減することができる。
【００４３】
パーシャル表示モードにおける表示領域は、全画面の走査線による表示ではなく画面上の一部の走査線（１つ以上の複数本の走査線）を用いて一部の面積領域に行われる表示（逆に言うと、少なくとも１つの非表示の走査線がある場合の表示）を指している。この走査方向の幾本かの走査線で構成される部分的な表示領域について、ソースドライバ８による各々の走査線に対応した画素電極の駆動は、階調表示において通常の多値（階調）表示の場合と白黒（２値）表示の場合とでは表示時の負荷量（負荷電力）が異なっており、通常の多値表示の場合は、予め定めた高い第１の周波数ｆ1のクロックを用いて電源能力を高めて高い負荷量に対応させ、白黒（２値）表示の場合は、多値表示のときの表示領域に対する第１のクロック周波数ｆ1より低く且つ非表示領域に対する第２のクロック周波数ｆ2より高い予め定めた第３の周波数ｆ3のクロックを用いて電源能力を中間レベルの負荷量に対応させる。ｆ1＞ｆ3＞ｆ2の関係となる。これにより、パーシャル表示モードで白黒（２値）表示が行われるときに、電力を効率的に供給し、消費電力を低減することができる。
【００４４】
なお、前述の図２において説明したように、非表示時や白黒（２値）表示時については、図２のスイッチ２２をオフし、別電力にて非表示，２値表示それぞれのデータ信号を生成すれば、電力低減できたので、上記のクロック周波数の低減を同時に行うと、非表示時や白黒（２値）表示時の電力低減を更に増進することが可能となる。
【００４５】
一方、パーシャル表示モードに移行した際に、非表示領域から表示領域へのクロックの高い方の第１又は第３の周波数ｆ1又はｆ3への周波数切り替え（図７の表示切り替え点１）は、ソース線（即ち画素電極）への表示データの書き込みによる表示切り替え（図７の図示上側の最初の方の表示切り替え点）に先立って行うようする。
【００４６】
このように、表示領域の表示書き込みを開始するに先立ってチャージポンプ回路によるクロック制御を早目に行うことは、パーシャル表示モードにおいて、非表示領域から表示領域へ移行する場合、チャージポンプ回路のクロック周波数増加に伴うポンピング用コンデンサへの単位時間当たりの充電電荷量の増大（即ちクロック周波数増加）を早めに開始して、電源能力を予め高めておいた状態で、データ線への表示データの書き込みを行うことを意味するもので、実際に表示を行った際に電源能力が予め高められているので、電源電圧変動が抑えられて、安定した表示動作を行うことが可能となる。
【００４７】
［電子機器］
以下、本発明の電気光学装置を備えた電子機器の具体例について説明する。  
図８は、以上の実施形態で説明した電気光学装置（例えば液晶装置）を用いて構成される電子機器の外観を示す図である。携帯電話機の一例を示した斜視図である。  
この図において、符号２００は携帯電話本体を示し、２０１は上記の電気光学装置を用いた表示部を示している。２０２は表示部側筐体、２０３は操作部側筐体、２０４は両筐体を折り曲げ可能に連結するヒンジ部である。
【００４８】
図８に示す電子機器は、機器のパーシャル表示モードに移行した際に、非表示領域に対しては、チャージポンプ回路のクロック周波数を低い方へ制御することにより、非表示領域のような負荷電流の不必要なところで電源の能力を下げ、表示領域のような負荷電流の必要なところで電源の能力を上げることができ、電力を効率的に供給した電気光学装置を備えた電子機器を実現できる。
【産業上の利用可能性】
【００４９】
本発明の電気光学装置は、液晶装置だけではなく、電気光学物質にＲ，Ｇ，Ｂ等の映像信号を供給して表示を行うエレクトロルミネッセンス装置、有機エレクトロルミネッセンス装置、プラズマディスブレイ装置、電気泳動ディスプレイ装置、電子放出素子を用いた装置（Field Emission Display 及び Surface-Conduction Electron-Emitter Display等）などの各種の電気光学装置においても本発明を同様に適用することが可能である。
【図面の簡単な説明】
【００５０】
【図１】本発明の第１の実施形態の電気光学装置の概略構成を示す図。
【図２】図１の電源回路の構成を示すブロック図。
【図３】図２で説明した各種の駆動電圧レベルの大小関係を示す図。
【図４】パーシャル表示モード時におけるチャージポンプ回路のクロックの周波数を可変する状態を示すタイミングチャート。
【図５】チャージポンプ式２倍昇圧回路の構成を示す回路図。
【図６】図５のチャージポンプ回路におけるチャージ時とポンプ時の２組の双投型のスイッチＳＷ1，ＳＷ2の動作を説明する図。
【図７】パーシャル表示モードにおける表示部の画面の一例を示す図。
【図８】本発明の液晶装置を備えた電子機器の一例を示す斜視図。
【符号の説明】
【００５１】
１…ソース線（データ線）、２…ゲート線（走査線）、３…ＴＦＴ、４…画素電極、５…対向電極、６…電気光学物質（液晶）、７…ゲートドライバ、８…ソースドライバ、１０…電源回路、１１…チャージポンプ回路、１２…コントローラ、１３…表示モード制御部、１４…表示部。
【図１】
2007057554.tif 000003
【図２】
2007057554.tif 000004
【図３】
2007057554.tif 000005
【図４】
2007057554.tif 000006
【図５】
2007057554.tif 000007
【図６】
2007057554.tif 000008
【図７】
2007057554.tif 000009
【図８】
2007057554.tif 000010